【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】  光スポットの半径方向位置に応じて回転数を変えることにより線速度が一定になるように光ディスクを回転制御しながら情報の記録或いは再生を行う光学的情報再生装置において、
前記光ディスクを回転制御する回路と、前記光スポットのフォーカスサーボ制御回路及びトラッキングサーボ制御回路と、前記トラッキングサーボ制御のサーボループゲインを光スポットの半径方向位置に応じて調整する回路とを有することを特徴とする光学的情報再生装置。
【請求項２】  前記トラッキングサーボ制御のサーボループゲインを調整する回路は、光スポットの半径方向位置における定常回転数に応じてサーボループゲインを調整することを特徴とする請求項１に記載の光学的情報再生装置。
【請求項３】  前記光ディスクの記録領域は半径方向に複数のゾーンに分割されており、前記回転制御回路はゾーン毎に回転数を変えることにより各ゾーン間で線速度が略一定になるように光ディスクの回転制御を行い、前記トラッキングサーボ制御のサーボループゲインを調整する回路は、ゾーン毎にそのゾーンの定常回転数に応じてサーボループゲインを調整することを特徴とする請求項１に記載の光学的情報再生装置。
【請求項４】  前記トラッキングサーボ制御のサーボループゲインを調整する回路は、光スポットの半径方向位置に応じた偏心加速度に比例したゲインを設定することによりサーボループゲインの調整を行うことを特徴とする請求項１に記載の光学的情報再生装置。
【請求項５】  前記トラッキングサーボ制御回路は、光スポットの半径方向位置に応じて変化するサンプリング周波数で制御されるとともに、前記サーボループゲインを調整する回路は、前記トラッキングサーボ制御回路に含まれる位相補償フィルタの係数は固定した状態で光スポットの半径方向位置に応じたゲイン調整を行うことを特徴とする請求項１に記載の光学的情報再生装置。
【請求項６】  前記光ディスクは、中心から放射状に設けられたサーボ領域を持つ、サンプルサーボディスクであり、前記トラッキングサーボ制御のサーボループゲインを調整する回路は、前記トラッキングサーボ制御回路に含まれる位相補償フィルタの係数は固定した状態で光スポットの半径方向位置に応じたゲイン調整を行うことを特徴とする請求項１に記載の光学的情報再生装置。
【請求項７】  前記トラッキングサーボ制御回路は、前記光ディスクの全領域において一定のサンプリング周期で制御されるとともに、前記トラッキングサーボ制御のサーボループゲインを調整する回路は、光スポットの半径方向位置に応じて、前記トラッキングサーボ制御回路に含まれる位相補償フィルタの係数とゲインを調整することによりサーボループゲインの調整を行うことを特徴とする請求項１に記載の光学的情報再生装置。
【請求項８】  前記光ディスクの記録領域は複数のゾーンに分割されており、前記回転制御手段はゾーン毎に回転数を変えることにより各ゾーン間で線速度が略一定になるように光ディスクの回転制御を行い、各ゾーンのうち回転数が所定の回転数範囲内に収まるゾーン同士をまとめてブロック化し、前記トラッキングサーボ制御のサーボループゲインを調整する回路は、前記ブロック毎にサーボループゲインを調整することを特徴とする請求項１に記載の光学的情報再生装置。
【請求項９】  前記トラッキングサーボ制御のサーボループゲインを調整する回路は、最高回転数ＷｍａｘでのサーボゲインをＧｍａｘとしたとき、前記回転数がＷｃｕｒｒの場合にサーボゲインＧｃｕｒｒが以下の関係を満足するように前記サーボループゲインを調整することを特徴とする請求項１に記載の光学的情報再生装置。
Ｇｃｕｒｒ≒Ｇｍａｘ＊Ｗｃｕｒｒ／Ｗｍａｘ
【請求項１０】  前記フォーカスサーボ制御回路は、フォーカスサーボ制御のサーボループゲインを調整する回路を有し、前記フォーカスサーボ制御のサーボループゲインを調整する回路は、前記トラッキングサーボ制御のサーボループゲインを調整する回路が前記トラッキングサーボ制御のサーボループゲインを所定比率で変化させた場合、前記所定比率の平方根に比例した比率で前記フォーカスサーボ制御のサーボループゲインを変化させることを特徴とする請求項１に記載の光学的情報再生装置。
【請求項１１】  光スポットの半径方向位置に応じて回転数を変えることにより線速度が一定になるように光ディスクを回転制御しながら光スポットにより情報の記録或いは再生を行う光学的情報再生装置において、
前記光ディスクを回転制御する回路と、前記光スポットのフォーカスサーボ制御回路及びトラッキングサーボ制御回路と、前記フォーカスサーボ制御のサーボループゲインを光スポットの半径方向位置に応じて調整する回路とを有することを特徴とする光学的情報再生装置。
【請求項１２】  前記フォーカスサーボ制御のサーボループゲインを調整する回路は、光スポットの半径方向位置における定常回転数に応じてサーボループゲインを調整することを特徴とする請求項１１に記載の光学的情報再生装置。
【請求項１３】  前記光ディスクの記録領域は半径方向に複数のゾーンに分割されており、前記回転制御回路はゾーン毎に回転数を変えることにより各ゾーン間で線速度が略一定になるように光ディスクの回転制御を行い、前記フォーカスサーボ制御のサーボループゲインを調整する回路は、ゾーン毎にそのゾーンの定常回転数に応じてサーボループゲインを調整することを特徴とする請求項１１に記載の光学的情報再生装置。
【請求項１４】  前記フォーカスサーボ制御のサーボループゲインを調整する回路は、光スポットの半径方向位置に応じた面ぶれ加速度に比例したゲインを設定することによりサーボループゲインを調整することを特徴とする請求項１１に記載の光学的情報再生装置。
【請求項１５】  前記フォーカスサーボ制御回路は、光スポットの半径方向位置に応じて変化するサンプリング周波数で制御されるとともに、前記サーボループゲインを調整する回路は、前記フォーカスサーボ制御回路に含まれる位相補償フィルタの係数は固定した状態で光スポットの半径方向位置に応じたゲイン調整を行うことを特徴とする請求項１１に記載の光学的情報再生装置。
【請求項１６】  前記フォーカスサーボ制御回路は、前記光ディスクの全領域において一定のサンプリング周期で制御されるとともに、前記フォーカスサーボ制御のサーボループゲインを調整する回路は、光スポットの半径方向位置に応じて、前記フォーカスサーボ制御回路に含まれる位相補償フィルタの係数とゲインを調整することによりサーボループゲインの調整を行うことを特徴とする請求項１１に記載の光学的情報再生装置。
【請求項１７】  前記光ディスクの記録領域は複数のゾーンに分割されており、前記回転制御手段はゾーン毎に回転数を変えることにより各ゾーン間で線速度が略一定になるように光ディスクの回転制御を行い、各ゾーンのうち回転数が所定の回転数範囲内に収まるゾーン同士をまとめブロック化し、前記フォーカスサーボ制御のサーボループゲインを調整する回路は、前記ブロック毎にサーボループゲインを調整することを特徴とする請求項１１に記載の光学的情報再生装置。
【請求項１８】  前記フォーカスサーボ制御のサーボループゲインを調整する回路は、最高回転数ＷｍａｘでのサーボゲインをＧｍａｘとしたとき、前記回転数がＷｃｕｒｒの場合にサーボゲインＧｃｕｒｒが以下の関係を満足するように前記サーボループゲインを調整することを特徴とする請求項１１に記載の光学的情報再生装置。
【外１】
2004055034.tif 000001
【請求項１９】  前記トラッキングサーボ制御回路は、トラッキングサーボ制御のサーボループゲインを調整する回路を有し、前記トラッキングサーボ制御のサーボループゲインを調整する回路は、前記フォーカスサーボ制御のサーボループゲインを調整する回路が前記フォーカスサーボ制御のサーボループゲインを所定比率で変化させた場合、前記所定比率の２乗に比例した比率で前記トラッキングサーボ制御回路のサーボループゲインを変化させることを特徴とする請求項１１に記載の光学的情報再生装置。
【請求項２０】  前記トラッキングサーボ制御のサーボゲインを調整する回路は、光スポットの半径方向への移動に伴う過渡的な回転数変化に応じてサーボループゲインを調整することを特徴とする請求項１に記載の光学的情報再生装置。
【請求項２１】  前記フォーカスサーボ制御のサーボゲインを調整する回路は、光スポットの半径方向への移動に伴う過渡的な回転数変化に応じてサーボループゲインを調整することを特徴とする請求項１１に記載の光学的情報再生装置。
【手続補正２】
【補正対象書類名】明細書
【補正対象項目名】００２１
【補正方法】変更
【補正の内容】
【００２１】
【課題を解決するための手段】
上記目的を達成するために、本発明では、光スポットの半径方向位置に応じて回転数を変えることにより線速度が一定になるように光ディスクを回転制御しながら情報の記録或いは再生を行う光学的情報再生装置において、前記光ディスクを回転制御する回路と、前記光スポットのフォーカスサーボ制御回路及びトラッキングサーボ制御回路と、前記トラッキングサーボ制御のサーボループゲインを光スポットの半径方向位置に応じて調整する回路とを有することを特徴とする。
【手続補正３】
【補正対象書類名】明細書
【補正対象項目名】００２２
【補正方法】変更
【補正の内容】
【００２２】
また、光スポットの半径方向位置に応じて回転数を変えることにより線速度が一定になるように光ディスクを回転制御しながら光スポットにより情報の記録或いは再生を行う光学的情報再生装置において、
前記光ディスクを回転制御する回路と、前記光スポットのフォーカスサーボ制御回路及びトラッキングサーボ制御回路と、前記フォーカスサーボ制御のサーボループゲインを光スポットの半径方向位置に応じて調整する回路とを有することを特徴とする。